(57)【要約】ＸＹ平面、及び平面に垂直なＺ方向を画定する掃除用品。掃除用品は、一次結合部によってキャリアシートに結合されたトウ繊維の別個の房を有する。別個の房は、房の外側に二次結合ラインを有する。二次結合ラインは、房のＺ方向の厚さを遮り、標的表面からの塵の収集及び保持を改善するためのチャネルを提供する。房は、複数の房のサイズをもたらす、一次結合部と二次結合部との間のスリットによって形成される。スリットは、隣接する結合部の間に横方向に不均等に離間されてもよい。
2021515612.tif 000002
【特許請求の範囲】
【請求項１】
ＸＹ平面、及び前記ＸＹ平面に対して垂直なＺ方向を画定する縁部によって境界が区切られ、長手方向軸ＬＡが長手方向を画定し、横断方向軸ＴＡが横断方向を画定する掃除用品１０であって、前記掃除用品１０は、
第１の面と、前記第１の面に対して反対側の第２の面とを有するキャリアシートと、
複数の一次結合部３２によって前記キャリアシートの前記第１の面に接合され、且つ前記Ｚ方向にそこから外向きに延在して前記Ｚ方向にトウの厚さを有する、複数の別個のトウ繊維と、
複数のトウ繊維の少なくとも１つに配置され、前記Ｚ方向に二次結合部の厚さを有する複数の細長い二次結合部であって、前記二次結合部の厚さは前記Ｚ方向で前記トウの厚さより小さく、前記二次結合部は、前記トウ繊維の少なくとも一部を架橋する、複数の細長い二次結合部と、
前記キャリアシート及び前記トウ繊維を通る複数の細長いスリット３６であって、前記一次結合部と前記二次結合部との間に配置される細長いスリット３６とを、備える掃除用品１０。
【請求項２】
前記トウ繊維は、複数の一次結合部３２によって前記キャリアシートの前記第１の面に接合され、且つ前記Ｚ方向にそこから外向きに延在して前記Ｚ方向に房の厚さを有する、複数の別個の離間したトウ繊維の房１５を備える、請求項１に記載の掃除用品。
【請求項３】
第１の複数の細長いスリット３６が、前記キャリアシート及び前記トウ繊維を通って配置され、
前記第１の複数のスリット３６は、横方向に隣接する二次結合部から第１の距離だけ離間されており、
第２の複数の細長いスリット３６が、前記キャリアシート及び前記トウ繊維を通って配置され、
前記第２の複数のスリット３６は、横方向に隣接する二次結合部から第２の距離だけ離間されており、
前記第２の距離は、前記第１の距離より大きい、請求項１及び２に記載の掃除用品１０。
【請求項４】
前記複数のトウ繊維は、前記横断方向に配向されたトウ繊維の複数のラインを有する、請求項１に記載の掃除用品１０。
【請求項５】
複数の前記スリット３６は、それぞれの前記隣接する一次結合部とそれぞれの前記隣接する二次結合部との間に不均等に横方向に離間されている、請求項１、２、３及び４に記載の掃除用品１０。
【請求項６】
前記一次結合部３２は細長く、
前記細長い一次結合部３２、前記細長い二次結合部３４及び前記細長いスリット３６は実質的に平行である、請求項１、２、３、４及び５に記載の掃除用品１０。
【請求項７】
前記一次結合部３２は細長く、
前記細長い一次結合部３２、前記細長い二次結合部３４及び前記細長いスリット３６は実質的に平行であり、
二次結合部３４の間に横方向に配置された複数のスリット３６を更に備える、請求項１、２、３、４、５及び６に記載の掃除用品１０。
【請求項８】
前記一次結合部３２は細長く、
前記細長い一次結合部３２、前記細長い二次結合部３４及び前記細長いスリット３６は実質的に平行であり、
前記キャリアシートに接合され、自由端を持たないブリッジ繊維を更に含む、請求項１、２、３、４、５、６及び７に記載の掃除用品１０。
【請求項９】
前記一次結合部３２は細長く、
前記細長い一次結合部３２、前記細長い二次結合部３４及び前記細長いスリット３６は実質的に平行であり、
前記二次結合部３４は、概ね直線を成しており、前記長手方向軸ＬＡに対して斜めに配向されている、請求項１、２、３、４、５、６、７及び８に記載の掃除用品１０。
【請求項１０】
前記房１５の間の前記キャリア上にチャネルを更に備え、
前記チャネルは前記房１５を含まず、
前記チャネルは前記長手方向軸ＬＡと並置されている、請求項１、２、３、４、５、６、７、８及び９に記載の掃除用品１０。
【請求項１１】
前記房１５の間の前記キャリア上にチャネルを更に備え、
前記チャネルは前記房１５を含まず、
前記チャネルは前記長手方向軸ＬＡと並置されており、
前記一次結合部３２、前記二次結合部３４及び前記スリット３６の少なくとも一部が前記チャネルを遮る、請求項１、２、３、４、５、６、７、８、９及び１０に記載の掃除用品１０。
【請求項１２】
前記横断方向に第１の長さを有する第１の複数の細長い一次結合部３２と、前記長手方向軸ＬＡと並置され、前記横断方向に第２の長さを有する第２の複数の細長い一次結合部３２とを有し、
前記第２の長さは前記第１の長さより大きい、請求項１、２、３、４、５、６、７、８、９、１０及び１１に記載の掃除用品１０。
【請求項１３】
第１の二次結合部の幅を有する第１の複数の二次結合部３４と、第２の二次結合部の幅を有する第２の複数の二次結合部３４とを有し、
前記第２の二次結合部の幅は、前記第１の二次結合部の幅より大きく、
前記第１の複数の前記結合部及び前記第２の複数の前記結合部は、概ね横方向に配向され、前記長手方向に交互に配置されている、請求項１、２、３、４、５、６、７、８、９、１０、１１及び１２に記載の掃除用品１０。
【請求項１４】
第２の複数のスリット３６を更に備え、
前記第２の複数のスリット３６は、同じ複数の二次結合部３４と一致して、その上に配置されている、請求項１、２、３、４、５、６、７、８、９、１０、１１、１２、１３及び１４に記載の掃除用品１０。
【請求項１５】
掃除器具７０に取り外し可能に接合された、請求項１から１４のいずれかに記載の掃除用品１０。
【発明の詳細な説明】
【技術分野】
【０００１】
本発明は、固い表面を掃除するためのトウ繊維の複数のサイズの房を有する掃除用品に関する。
【背景技術】
【０００２】
様々な掃除用品が、ほこり取り及び軽い掃除のために開発されてきた。例えば、乾燥した状態で、又は研磨及び洗浄組成物によって濡れた状態で使用される、布きれ及びペーパータオルが、調理台、シャワー、シンク、床などの比較的平らな表面で使用されてきた。米国特許第９，２９６，１７６号に開示されているように、積層性の拭き取り布が提案されてきた。しかし、布きれ、拭き取り布、及びペーパータオルには、衛生状態（使用者の手が、化学薬品、汚れ、又は掃除中の表面に触れることがある）、届く範囲（布きれ、拭き取り布、又はペーパータオルを持った状態で、使用者の手を、届きにくい場所に入れることが困難であることがある）、及び不便さ（狭い間隔で配置された物品の間を掃除する場合、通常、これらの物を移動させる必要がある）などの理由による問題がある。
【０００３】
布きれ及びペーパータオルの使用に伴うこれらの問題を克服するために、Ｈａｙｄｅｎに対する１９０６年発行の米国特許第８２３，７２５号に例示されるようにフェルト及び毛を使用する、及び同第４，１４５，７８７号に記載される糸を使用する器具などの、再利用可能な様々な集塵装置が１世紀以上もの間利用されてきた。再利用可能な集塵デバイスの問題に対処するため、限定的な再利用性を有する使い捨て掃除用品が開発されてきた。これらの使い捨ての掃除用品は、米国特許出願公開第２００６／０１７１７６４号、米国特許第６，１４３，３９３号、第６，２４１，８３５号、第６，３１９，５９３号、第６，３２９，３０８号、第６，５５４，９３７号、第６，７７４，０７０号、第６，８１３，８０１号、第６，８３０，８０１号、第６，９８４，６１５号、第７，００３，８５６号、第７，５６６，６７１号、第７，７１２，１７８号、第７，７７９，５０２号、第７，８７０，６３５号、第７，９３７，７９７号、第８，１４６，１９７号、第８，１５１，４０２号、第８，１６１，５９４号、第８，１８６，００１号、第８，２２５，４５３号、第８，２４５，３４９号、第８，６４６，１４４号、第８，５２８，１５１号、第８，６１７，６８５号、第８，６４６，１４４号、第８，７５２，２３２号、第８，７５６，７４６号、第８，７６３，１９７号、第８，７９３，８３２号、第９，１１３，７６８号、第９，１９８，５５３号及び同一譲渡人に譲渡された米国特許第８，０７５，９７７号
に示されるように、シートに装着されたトウ繊維と呼ばれる合成繊維の房を含んでもよい。
【０００４】
米国特許第７，５６６，６７１号、本願と同一譲受人に譲渡された同第７，８０３，７２６号、及び本願と同一譲受人に譲渡された米国特許出願公開第２００８／００２８５６０号に開示されるように、トウ繊維を有する使い捨てダスターが湿式掃除用に提供されてもよい。しかし、トウ繊維は濡れるともつれた状態になることがあるため、広い又はひどく濡れた表面（例えば、床）の掃除には好適ではない。したがって、ダスターは、極めて広い又はひどく汚れた表面の掃除には好適ではないことがある。
【０００５】
したがって、床などのより大きな標的表面を掃除するための様々なシートが提案されている。弾性挙動を有するウェブが、本願と同一譲受人に譲渡された米国特許第５，６９１，０３５号に提案されている。米国特許第６，２４５，４１３号、及び同第７，３８６，９０７号に開示されているように、くぼみを有するシートも提案されている。米国特許第６，５５０，０９２号に開示されているように、空洞を有するシートが提案されている。粘着性の掃除用シートが、米国特許第７，２９１，５９号に提案されている。房は、本願と同一譲受人に譲渡された米国特許第７，６８２，６８６号、同第７，８３８，０９９号、及び／又は同第８，０７５，９７７号に教示されている。更に他の試みでは、ワックス及び／又は油のコーティングを使用する。ワックス及び油などのコーティングは一般に、米国特許第６，５５０，０９２号、第６，７７７，０６４号、第６，７９７，３５７号、第６，９３６，３３０号、第６，９８４，６１５号、第７，３８６，９０７号、第７，５６０，３９８号、第７，７８６，０３０号、第８，５３６，０７４号、第９，２０４，７７５号、及び第９，３３９，１６５号に開示されている。特定の両親媒性コーティングが、米国特許第８，８５１，７７６号に開示されている。
【０００６】
一部の従来技術は、意図される収集対象の塵のサイズに基づいて、単純に大きい塵及び小さい塵に焦点を合わせる試みがなされている。しかし、これらの教示は、床を掃除する際に一般的に見出される範囲の塵を収集するための適切なトウ繊維の使用に必ずしも対処するものとはなっていない。掃除用シートにトウ繊維を組み込む従来技術の試みは、そのような体積及び密度の差を考慮に入れていなかった。泥などの、より高密度の粒状の塵は、必ずしもトウ繊維によって捕捉されない場合がある。トウ繊維の間隔が広すぎると、高密度の粒状の塵と接触しない場合すらあり、ましてやそのような塵を表面から掃除することはできない。またトウ繊維の間隔が近すぎると、より大きな体積でより低密度の塵を捕らえて保持することができない場合がある。このような塵が最初に捕捉された場合であっても、先行技術のシートは、そのような塵をシートによってどのように保持するかという問題に対処していない。
【先行技術文献】
【特許文献】
【０００７】
【特許文献１】米国特許第９，２９６，１７６号
【特許文献２】米国特許第８２３，７２５号
【特許文献３】米国特許第４，１４５，７８７号
【特許文献４】米国特許出願公開第２００６／０１７１７６４号
【特許文献５】米国特許第６，１４３，３９３号
【特許文献６】米国特許第６，２４１，８３５号
【特許文献７】米国特許第６，３１９，５９３号
【特許文献８】米国特許第６，３２９，３０８号
【特許文献９】米国特許第６，５５４，９３７号
【特許文献１０】米国特許第６，７７４，０７０号
【特許文献１１】米国特許第６，８１３，８０１号
【特許文献１２】米国特許第６，８３０，８０１号
【特許文献１３】米国特許第６，９８４，６１５号
【特許文献１４】米国特許第７，００３，８５６号
【特許文献１５】米国特許第７，５６６，６７１号
【特許文献１６】米国特許第７，７１２，１７８号
【特許文献１７】米国特許第７，７７９，５０２号
【特許文献１８】米国特許第７，８７０，６３５号
【特許文献１９】米国特許第７，９３７，７９７号
【特許文献２０】米国特許第８，１４６，１９７号
【特許文献２１】米国特許第８，１５１，４０２号
【特許文献２２】米国特許第８，１６１，５９４号
【特許文献２３】米国特許第８，１８６，００１号
【特許文献２４】米国特許第８，２２５，４５３号
【特許文献２５】米国特許第８，２４５，３４９号
【特許文献２６】米国特許第８，６４６，１４４号
【特許文献２７】米国特許第８，５２８，１５１号
【特許文献２８】米国特許第８，６１７，６８５号
【特許文献２９】米国特許第８，６４６，１４４号
【特許文献３０】米国特許第８，７５２，２３２号
【特許文献３１】米国特許第８，７５６，７４６号
【特許文献３２】米国特許第８，７６３，１９７号
【特許文献３３】米国特許第８，７９３，８３２号
【特許文献３４】米国特許第９，１１３，７６８号
【特許文献３５】米国特許第９，１９８，５５３号
【特許文献３６】米国特許第８，０７５，９７７号
【特許文献３７】米国特許第７，８０３，７２６号
【特許文献３８】米国特許出願公開第２００８／００２８５６０号
【特許文献３９】米国特許第５，６９１，０３５号
【特許文献４０】米国特許第６，２４５，４１３号
【特許文献４１】米国特許第７，３８６，９０７号
【特許文献４２】米国特許第６，５５０，０９２号
【特許文献４３】米国特許第７，２９１，３５９号
【特許文献４４】米国特許第７，６８２，６８６号
【特許文献４５】米国特許第７，８３８，０９９号
【特許文献４６】米国特許第６，７７７，０６４号
【特許文献４７】米国特許第６，７９７，３５７号
【特許文献４８】米国特許第６，９３６，３３０号
【特許文献４９】米国特許第６，９８４，６１５号
【特許文献５０】米国特許第７，５６０，３９８号
【特許文献５１】米国特許第７，７８６，０３０号
【特許文献５２】米国特許第８，５３６，０７４号
【特許文献５３】米国特許第９，２０４，７７５号
【特許文献５４】米国特許第９，３３９，１６５号
【特許文献５５】米国特許第８，８５１，７７６号
【発明の概要】
【発明が解決しようとする課題】
【０００８】
したがって、本発明は、掃除用シート上でトウ房を選択的に扱うことによって、日常の掃除において遭遇する様々な範囲の塵を捕捉し保持するために、固い表面の掃除用品にトウ繊維をどのように組み込むかという問題に対処している。
【課題を解決するための手段】
【０００９】
本発明は、縁部によって境界が区切られ、長手方向軸を有し、キャリアシートと、キャリアシートに接合された複数の個別に離間されたトウ繊維の房と、を備える掃除用品を備える。房は、そこを通る二次結合部を有し、塵の蓄積のためのチャネルを形成する。
【図面の簡単な説明】
【００１０】
図面では、掃除用品の結合ライン及び設置面積は、縮尺どおりに描かれている。トウ繊維の房を概略的に示す。本明細書で使用される際、上面図は、標的表面に面しており、標的表面に接触する掃除用品の図である。底面図は上面図の反対側であり、掃除用品が掃除装置に取り付けられたとき、掃除装置のヘッドの方を向く。
【図１Ａ】横断方向軸に概ね平行に配向された一定幅の連続する二次結合部を備えた、３つの異なる房サイズを概略的に示すダイヤモンドとして表される別個の房を有する、本発明による掃除用品の上面図である。
【図１Ｂ１】各房についての共通の近位端で表された別個の房を有する、図１Ａの掃除用品の上面図である。
【図１Ｂ２】図１Ｂ１の掃除用品の側部立面図である。
【図１Ｃ】図１Ａ、図１Ｂ１及び図１Ｂ２の掃除用品の底面図である。
【図１Ｄ】横断方向軸に概ね平行に配向された複数の幅の連続する二次結合部を備えた、ダイヤモンドとして表される別個の房を有する、本発明による掃除用品の上面図である。
【図１Ｅ１】各房についての共通の近位端で表される別個の房を有する、図１Ｄの掃除用品の上面図である。
【図１Ｅ２】図１Ｅ１の掃除用品の側部立面図である。
【図１Ｆ】図１Ｄ及び図１Ｅの掃除用品の底面図である。
【図２Ａ】横断方向軸に概ね平行に配向された中断された一定幅の二次結合部を備えた、ダイヤモンドとして表される別個の房を有する、本発明による掃除用品の上面図である。
【図２Ｂ１】各房についての共通の近位端で表される別個の房を有する、図２Ａの掃除用品の上面図である。
【図２Ｂ２】図２Ｂ１の掃除用品の側部立面図である。
【図２Ｃ】図２Ａ、図２Ｂ１及び図２Ｂ２の掃除用品の底面図である。
【図２Ｄ】横断方向軸に概ね平行に配向された中断された複数の幅の二次結合部を備えた、ダイヤモンドとして表される別個の房を有する、本発明による掃除用品の上面図である。
【図２Ｅ１】各房についての共通の近位端で表される別個の房を有する、図２Ｄの掃除用品の上面図である。
【図２Ｅ２】図２Ｅ１の掃除用品の側部立面図である。
【図２Ｆ】図２Ｄ及び図２Ｅの掃除用品の底面図である。
【図３Ａ】横断方向軸に対して概ね斜めに配向された連続する二次結合部を備えた、ダイヤモンドとして表される別個の房を有する、本発明による掃除用品の上面図である。
【図３Ｂ１】各房についての共通の近位端で表される別個の房を有する、図３Ａの掃除用品の上面図である。
【図３Ｂ２】図３Ｂ１の掃除用品の側部立面図である。
【図３Ｃ】図３Ａ、図３Ｂ１及び図３Ｂ２の掃除用品の底面図である。
【図３Ｄ】横断方向軸に対して概ね斜めに配向された中断された二次結合部を備えた、ダイヤモンドとして表される別個の房を有する、本発明による掃除用品の上面図である。
【図３Ｅ１】各房についての共通の近位端で表される別個の房を有する、図３Ｄの掃除用品の上面図である。
【図３Ｅ２】図３Ｅ１の掃除用品の側部立面図である。
【図３Ｆ】図３Ｄ、図３Ｅ１及び図３Ｅ２の掃除用品の底面図である。
【図４Ａ】横断方向軸に概ね平行に配向された均一に離間された二次結合部と、断続的に離間されたスリットとを備えた、ダイヤモンドとして表される別個の房を有する、本発明による掃除用品の上面図である。
【図４Ｂ１】各房についての共通の近位端で表される別個の房を有する、図４Ａの掃除用品の上面図である。
【図４Ｂ２】図４Ｂ１の掃除用品の側部立面図である。
【図４Ｃ】図４Ａ、図４Ｂ１及び図４Ｂ２の掃除用品の底面図である。
【図５Ａ】連続する山形形状の二次結合部を備えた、ダイヤモンドとして表される別個の房を有する、本発明による掃除用品の上面図である。
【図５Ｂ１】各房についての共通の近位端で表される別個の房を有する、図５Ａの掃除用品の上面図である。
【図５Ｂ２】図５Ｂ１の掃除用品の側部立面図である。
【図５Ｃ】図５Ａ、図５Ｂ１及び図５Ｂ２の掃除用品の底面図である。
【図５Ｄ】複数の幅の連続する山形形状の二次結合部を備えた、ダイヤモンドとして表される別個の房を有する、本発明による掃除用品の上面図である。
【図５Ｅ１】各房についての共通の近位端で表される別個の房を有する、図５Ｄの掃除用品の上面図である。
【図５Ｅ２】図５Ｅ１の掃除用品の側部立面図である。
【図５Ｆ】図５Ｄ、図５Ｅ１及び図５Ｅ２の掃除用品の底面図である。
【図６Ａ】長手方向に配向された杉綾を形成する、中断された山形の二次結合部を備え、ダイヤモンドとして表される別個の房を有する、本発明による掃除用品の上面図である。
【図６Ｂ１】各房についての共通の近位端で表される別個の房を有する、図６Ａの掃除用品の上面図である。
【図６Ｂ２】図６Ｂ１の掃除用品の側部立面図である。
【図６Ｃ】図６Ａ、図６Ｂ１及び図６Ｂ２の掃除用品の底面図である。
【図７Ａ】横断方向軸に対して斜めに配向された連続する蛇行二次結合部を備えた、ダイヤモンドとして表される別個の房を有する、本発明による掃除用品の上面図である。
【図７Ｂ１】各房についての共通の近位端で表される別個の房を有する、図７Ａの掃除用品の上面図である。
【図７Ｂ２】図７Ｂ１の掃除用品の側部立面図である。
【図７Ｃ】図７Ａ、図７Ｂ１及び図７Ｂ２の掃除用品の底面図である。
【図７Ｄ】中断された蛇行二次結合を有するダイヤモンドとして表される別個の房を有する、本発明による掃除用品の上面図である。
【図７Ｅ１】各房についての共通の近位端で表される別個の房を有する、図７Ｄの掃除用品の上面図である。
【図７Ｅ２】図７Ｅ１の掃除用品の側部立面図である。
【図７Ｆ】図７Ｄ、図７Ｅ１及び図７Ｅ２の掃除用品の底面図である。
【図８】前述の二次結合部の様々な組み合わせを有し、任意選択の外周結合部を省略した掃除用品の底面図である。
【図９Ａ】クレーム主張される本発明と共に使用するのに好適であり、そこに装着可能な掃除用品を有する床掃除器具の斜視図である。
【図９Ｂ】本発明と共に使用するのに好適であり、床の上に液体洗浄剤を噴霧する床掃除器具の斜視図である。
【図９Ｃ】クレーム主張される本発明によるダスター型掃除用品と共に使用するのに好適なハンドルの斜視図である。
【発明を実施するための形態】
【００１１】
図１Ａ〜図８を概ね参照すると、掃除用品１０は、概ね細長い長方形であり得るが、他の形状も企図され、実現可能である。掃除用品１０は、床の掃除に好適な掃除用品１０を提供するために、積層形態で接合された２つ以上の構成要素を含むことができる。掃除用品１０はキャリアシートを有することができ、このシートは、他の構成要素を掃除用品に取り付けるためのシャーシを形成している。掃除用品１０は、トウ繊維でできた複数の房１５を有する。房１５は、房１５の格子又は領域を形成する列３０に配置されてよい。房１５は、第１の複数の一次結合部３２によってキャリアシートに接合される。第２の複数の二次結合部３４は、房１５を通るチャネル又は溝を形成して、その中での塵の蓄積を実現する。
【００１２】
掃除用品１０は、使い捨ての場合がある。「使い捨て」とは、掃除用品１０が１回の掃除作業、あるいは概して数平方メートル以下に対して使用され、その後、廃棄され得ることを意味している。対照的に、再利用可能な掃除用品１０は、使用後、洗濯されるか、他の方法で元の状態に戻される。
【００１３】
本明細書で使用するとき、本発明による掃除用品１０、特にそのキャリアシートは、肉眼で見たときに平面であり、ＸＹ平面を画定する。房１５は、ＸＹ平面に対して垂直なＺ方向に外向きに延在する。掃除用品１０は、長手方向を画定する長手方向軸ＬＡと、長手方向軸ＬＡに対して直交し、横断方向を画定する横断方向軸ＴＡとを有してよく、ＬＡ、ＴＡは両軸ともＸＹ平面内に位置している。掃除用品１０及びその各構成要素は、長手方向軸ＬＡに平行な２つの長手方向縁部２０と、横断方向軸ＴＡに平行な２つの横断方向縁部２２とを有し得る。例えば、房１５の領域は、キャリアシート内に配置された長手方向縁部２２０及び横断方向縁部２２２を画定してよい。
【００１４】
掃除用品１０の長さは、長手方向において測られる。掃除用品１０の幅は、長さ方向に対して垂直であり、且つシートの面内に配置される横断方向に対応している。ＸＹ面は、掃除用品１０によって画定される面によって定義される。掃除用品１０のＺ方向は、掃除用品１０の平面に対して垂直な方向である。厚さは、Ｚ方向の寸法として定義される。掃除用品１０は、２０〜５０ｃｍの長さ及び１０〜３０ｃｍの幅を有してよい。掃除用品１０は具体的には、後述するように、典型的な掃除器具７０のヘッド７４に適合するように、最大寸法で測定したとき、長さが３０＋／−２ｃｍであり、幅が１４＋／−２ｃｍであってよい。当然のことながら、当業者であれば、他の形状が実現可能であり、本発明の範囲内であることを理解するであろう。
【００１５】
掃除用品１０は、外側に向いた掃除面と、その反対側にある取り付け面とを有してもよい。掃除用品１０は、乾燥状態で使用されることが意図されるが、湿式掃除も想到され、本発明の範囲内である。掃除用品１０はまた、湿式掃除のための任意の吸収性コアを有してもよい。任意選択的なコアは、具体的には、幅が６．５＋／−２ｃｍであり、長さが２６＋／−２ｃｍであってもよい。
【００１６】
より具体的には、掃除用品１０は、少なくとも１つのトウ繊維房１５と、少なくとも１つのキャリアシートの構造を有してよい。トウ繊維房１５及びキャリアは、向かい合わせの関係で、少なくとも１つの永続結合部３８によって接合されて、積層体を形成している。トウ繊維房１５（複数可）は、キャリアシートの平面から四方に広がり、外向きに延びることでＺ方向に厚さを提供してよい。房１５は、キャリアシート上に直接配置されてもよい。任意選択で、房１５は、前駆体シートに結合されてもよく、この前駆体シートが、キャリアシートに接合される。
【００１７】
具体的には、キャリアシートは、合成不織布を含んでもよい。合成繊維を有するキャリアシート及び／又は前駆体シートは、それらへのトウ繊維の簡便な接合をもたらす。当技術分野で知られているように、不織布には、スパンボンド方式、カード方式、及びエアレイド方式の材料が含まれ、不織布は、合成繊維から作製されている。好適な不織布シートは、本願と同一譲受人に譲渡された米国特許第６、７９７、３５７号に従って作製されてもよい。キャリアシート及び／又は前駆体シートは、任意選択で、ポリオレフィンフィルム又はマイクロファイバを含み、液体透過性又は不透過性であり得る。
【００１８】
キャリアシートはセルロースを含み、それによって吸収力を提供してもよい。当技術分野で知られているように、セルロース系シートには、永続的な湿潤強度を有する樹脂を添加してもよい。又はキャリアシートは好ましくは、吸収特性とバリア特性の両方を提供するために、セルロースと合成繊維の混合物を含む場合もある。
【００１９】
キャリアシートは、坪量が２０〜８０ｇｓｍの水流交絡スパンボンド不織布を含んでもよい。Ａｖｇｏｌ  Ｎｏｎｗｏｖｅｎｓ（Ｔｅｌ−Ａｖｉｖ、Ｉｓｒａｅｌ）の４５ｇｓｍの不織布が好適であることが分かっている。キャリアシートは、当該技術分野において既知であるように、接着剤及び／又は熱結合部を使用して互いに接合された２つ、３つ、又はそれ以上の層の積層体を有してもよい。ループ又は同様の材料の任意選択的な取り付け用ストライプが、取り付け面に接合されて、掃除用品１０をハンドル７２又は器具７０に取り外し可能に接合し得る。キャリアシートの１つ又は２つ以上の層は、当技術分野において既知であるように、マイクロファイバ、特にナイロンマイクロファイバを含んでもよい。
【００２０】
掃除用品１０は、任意選択の掃除用ストリップ要素を有してもよい。掃除用ストリップ要素は、本願と同一譲受人に譲渡された米国特許第８，４０７，８４８号に開示される一体型突出部を有するポリオレフィンフィルムを含んでもよい、又はトウ繊維のロープである場合もある。掃除用ストリップ要素は好ましくは、スパンレース法又は水流交絡法などのプロセスを使用して合成不織布に結合された薄織物（tissue）に形成されたウェットレイド繊維の混合物を含んでもよい。掃除用ストリップ要素は具体的には、Ｓｕｏｍｉｎｅｎ（Ｈｅｌｓｉｎｋｉ、Ｆｉｎｌａｎｄ）によってＧｅｎｅｓｉｓ  ｔｉｓｓｕｅという名称で販売されている、２３ｇｓｍの薄織物と１７ｇｓｍのポリプロピレンスパンボンドの複合材料を含んでもよい。あるいは、掃除用ストリップ要素、前駆体及び／又はキャリアシートは、代替的に又は追加的に、ナイロンマイクロファイバを含んでもよい。
【００２１】
トウ繊維、及びそれにより形成される房１５は、合成であってよく、ポリエステル、ポリプロピレン、ポリエチレン、生物由来ポリマー（例えば、ポリ乳酸、バイオポリエチレン、バイオポリエステルなど）などを含むポリマーを含んでいてよい。トウ繊維はまた、セルロース、アセチルセルロース、亜麻、麻、黄麻、及びこれらの混合物などの天然物由来の繊維を含んでもよく、この場合、個々の繊維は、束状に製造された比較的長いストランドである。好ましいトウ繊維は、ポリエチレンシースを有するポリプロピレン又はポリエチレンコアを有する二成分繊維である。トウ繊維は、１．５〜８．０のフィラメントあたりのデニール、及び１５、０００〜９５、０００の総圧着縮デニールを有し得る。トウ繊維は、本譲受人によって販売されているＳｗｉｆｆｅｒ（登録商標）Ｄｕｓｔｅｒ（商標）の構成要素である。
【００２２】
トウ繊維房（複数可）１５は、複数の永続的一次結合部３２によってキャリアシートに接合されてよい。一次結合部３２は、外れた、又は離脱したトウ繊維がキャリアシートからほどけるのを最小限に抑える、又は阻止することが意図されている。このようなシート１２及びトウ繊維房（複数可）１５は、典型的には、介在シート、介在部材又は介在構成要素をその間に挟んで、あるいは挟まずに、互いの上に直接重ねられてよい。一次結合部３２は、当技術分野において既知であるように、超音波結合部３８、接着剤結合部３８、熱結合部３８又はそれらの組み合わせであってもよい。
【００２３】
掃除用品１０はまた、二次的な複数の二次結合部３４も有する。二次結合部３４は、房１５が一次結合部３２によってキャリアシートに接合された後に形成される。二次結合部３４は、概ね直線状であり、ＸＹ平面内のアスペクト比は少なくとも１、好ましくは少なくとも１０、より好ましくは少なくとも２０である。二次結合部３４は、Ｚ方向の房１５の厚さを低減する。二次結合部３４の縁部と位置合わせされた房１５の残りの部分に対して、二次結合部３４の厚さを縮小することにより、塵を捕らえるためのチャネルを形成する。二次結合部３４は、一定の幅であってもよく、又はその遠位端に向かって収束してもよい。
【００２４】
二次結合部３４は、均一なサイズ、長手方向軸に対して均一な配向、及び均一な間隔であってよい。あるいは、二次結合部３４は、所望に応じて、可変の幅、可変の長さ、可変の間隔、可変の角度配向及び／又は可変の幾何学的形状であってもよい。
【００２５】
二次結合部３４によって形成されるチャネルは、大きな塵が掃除用品１０の長手方向軸ＬＡに近づく方向で進入することを可能にする。とりわけ、このような配置は、通常の使用において、二次結合部によって形成されたチャネル内でより大きな塵を捕らえることができ、その一方で、より小さい塵は房１５によって捕らえられるという利点を提供する。
【００２６】
二次結合部３４は、その上に配置された接着剤を有してもよい。接着剤は、二次結合部３４によって形成されたチャネルに進入する塵の保持を補助する。好適な接着剤は、接触接着剤を含む。接着剤は、噴霧、ローラー、及びゾーンコーティングのための当分野で既知の他の技術によって二次結合部３４に塗布されてよい。
【００２７】
房１５の領域の横断方向縁部２２２は、キャリアシートの横断方向縁部２２と並置されてよい、又は横断方向縁部と一致してもよい。好ましくは、外周結合部３４Ｐは、房１５の領域のトウ繊維をそれぞれの横断方向縁部２２、２２２で接合する。このような配置は、個々の掃除用品１０を連続するウェブから分離するとき、又はスリット３６が、介在する一次結合部３２を伴わずに横断方向縁部２２付近にあるとき、トウ繊維の損失が生じるのを防止する。本明細書で使用される際に、スリット３６は、２つの繊維及び下層のキャリアシートを貫通して切断され、それによって房１５を形成する。
【００２８】
本発明に係る掃除用品１０は、キャリアシートを準備することによって作製されてよい。トウ繊維は、キャリアシート上に配置される。本明細書に示される実施形態に関して、トウ繊維は一般に長手方向に整列されるが、本発明はそのように限定されない。トウ繊維は、横方向にずらされた一次結合部３２を用いてキャリアシートに接合される。一次結合部３２は細長くてもよい。一次結合部３２は涙滴として示されているが、本発明はそのように限定されない。一次結合部３２は、トウ繊維がそれによってキャリアシートに恒久的に接合される限り、直線状又は任意の所望の形状及びサイズであってよい。
【００２９】
トウ繊維が一次結合部３２によってキャリアシートに接合された後、トウ繊維は、二次結合部３４によってキャリアシートに更に結合される。房１５は、複数の細長いスリット３６を有するように結合部３８の間でキャリアシート及びトウ繊維を切断することによって作製される。
【００３０】
房１５を形成するトウ繊維の近位端は、それぞれの一次結合部３２又は二次結合部３４によって画定される。２つのスリット３６が、それぞれの房１５のトウ繊維の近位端を画定し、形成する。各スリット３６は、一次結合部３２と二次結合部３４との間に配置されてよい。スリット３６間の不規則な間隔によって、複数の大きさの房１５が生じる。房１５は、その近位端を画定する結合部３２、３４を有する。
【００３１】
複数のサイズの房１５は、Ｚ方向に異なる房１５の高さを提供する。異なる房１５の高さは、Ｚ方向により低い高さ又はより薄い厚さの房１５に対応するチャネルを形成する。これらのチャネルは、以下に記載されるように、清掃性能を予想外に改善する。
【００３２】
房１５は、房１５の厚さをＺ方向に増大させるために、任意選択で毛羽立たせてもよい。任意選択の毛羽立ては、当技術分野において既知のように、空気を吹き込むことによって達成されてよい。
【００３３】
スリット３６が形成され、あるとすれば毛羽立てが行われた後、二次結合部３４が適用される。二次結合部３４は、一次結合部３２と同じ様式で形成されてよい、又は異なる方法によって形成されてもよい。二次結合部３４は、当技術分野において既知であるように、超音波結合部３８、接着剤結合部３８、熱結合部３８、又はそれらの組み合わせであってもよい。二次結合部３４を形成する任意のそのような方法は、視覚的に識別可能な二次結合部３４が形成され、二次結合部３４とトウ繊維の少なくとも２つ以上の隣接する房１５との間にＺ方向の厚さの差を提供する限り、好適である。
【００３４】
スリット３６、一次結合部３２及び二次結合部３４は、示されるように、且つ本明細書に開示される実施形態のいずれかを含むように互いに平行であってよい。このような幾何学的形状は、それらの間の間隔が、所望の房１５のサイズを提供するように調整され得るという利点を提供する。
【００３５】
本明細書に記載される例示的及び非限定的な実施例に示されるように、３つのサイズの房１５が選択される場合、最小の房１５は、０．５から２ｃｍの幅、及び０．２５から１ｃｍの厚さを有してよい。最大の房１５は、２から５ｃｍの幅、及び１から３ｃｍの厚さを有してよい。中間サイズの房１５は、１から３ｃｍの幅、及び０．５から２ｃｍの厚さを有してもよい。幅は、Ｚ方向の横断方向で取得され、厚さはＺ方向で取得される。
【００３６】
二次結合部３４は、房１５の領域の長手方向縁部２２０を遮ることが好ましい。このような構成によって、開口が、大きな塵が長手方向軸に向かう方向で房１５の領域に進入し、接着剤及び／又はそれに隣接し、二次結合部の境界を形成する房１５によって保持されることを可能にする。二次結合部３４がない場合、大きな塵は房１５の領域の長手方向縁部２２０上で取り込まれるようになり、追加の塵を捕捉しないように房１５を塞ぐ可能性がある。
【００３７】
このような幾何学的形状は、本譲受人によって販売されているＳｗｉｆｆｅｒ（登録商標）Ｓｗｅｅｐｅｒ（商標）器具７０などの、共通したサイズの掃除器具７０と共に使用されるとき、房１５及び二次結合部３４が掃除器具のヘッド７４の先端を包み込むことができるという利点を提供する。掃除器具７０のヘッド７４の先端を包み込むことは、壁及び幅木に沿った掃除を改善すると考えられる。先端にある房１５の量は、二次結合部３４の幅によって制御することができ、二次結合部３４の幅に反比例する。
【００３８】
特に図１Ａから図１Ｆを参照すると、掃除用品１０は、横断方向軸ＴＡに平行な二次結合部３４を有してよい。このような幾何学的形状は、二次結合部３４チャネルが、塵が概ね前後運動の方向で進入することを可能にし得る一方で、大量の塵を収容するのに十分な容積を提供することができるという利点を提供する。
【００３９】
横断方向に平行である二次結合部３４の整列は、機械の幅方向に、且つ機械方向に対して垂直に全体的に配向される。熱結合及び超音波結合は、典型的には、任意の時点で機械の幅方向で行われる。二次結合部３４のサイズが機械の幅方向に増加するにつれて、二次結合部３４を形成するのに必要なアンペア数も同様に増加する。増加したアンペア数は、典型的には、機器コストの増加をもたらし、結果として製造コストの増加をもたらす。以下に記載される特定の変形形態は、熱結合及び／又は超音波結合を使用して横断方向に平行な同等の二次結合部３４を形成するのに必要なアンペア数に対して、二次結合部３４を形成するのに必要なアンペア数を低減させるという利点を有すると述べられている。
【００４０】
概ね平行で、均等に離間された房１５の列が示されているが、本発明はそのように限定されるものではない。均等な、又は不均等な間隔で、及び均等な、又は不均等な可変の幅で、及び均等な又は不均等な房１５の密度を有する、２〜１５の列が使用され得ることが予測される。房１５の列は、横断方向軸に対して互いに平行であってよく、横断方向軸に対して互いに斜めであってもよく、又は他の列に対して互いに斜めであってもよい。任意選択で、接着剤が、列３０の間のスペースに配置されてもよい。列３０は横断方向に延在してもよく、且つ長手方向軸で中断されてもよい。房１５の間の、テーパ状の房の間のスペースは、房１５がスペースによって中断されないという利点を提供する。したがって、全ての房１５は、効果的な掃除に十分な大きさであるように選択することができる。
【００４１】
このピッチ、すなわちこれにより房１５の密度は、長手方向縁部２０からの任意の所定の間隔で一定であってよい。房１５は、長手方向軸及び横断方向軸に対して両側に互い違いに配置されてもよい。房１５は、それらの間に適切な間隔を提供するために、及び前後の移動の掃除（back and for the sweeping）中に塵の保持力を提供するために、両方の方向に、隣接する房１５の位置と完全に重なり合ってもよい。あるいは、各房１５は、最大直径、又は長手方向軸に平行に測った他の最大寸法を有し、また特定の列の隣接する房１５の間のピッチは、最大直径／最大寸法より大きい場合もある。
【００４２】
このような掃除用品は、当該技術分野において一般的なように、当該長手方向軸に概ね平行に、３つ折りであってもよい。この構成は、掃除器具のヘッド７４への取り付けに一般的に使用するための、三等分部のうち外側の２つを提供する。所望であれば、房１５は、壁及び幅木に沿った掃除を提供するために、外側の三等分部のうちの少なくとも１つに、及び任意選択的に両方に、配置されてもよい。
【００４３】
このような幾何学的形状は、本譲受人によって販売されているＳｗｉｆｆｅｒ（登録商標）Ｓｗｅｅｐｅｒ（商標）器具７０などの、共通サイズの掃除器具７０と共に使用されるときに、房１５が掃除器具のヘッド７４の先端を包み込むことができるという利点を提供する。掃除器具７０のヘッド７４の先端を包み込むことは、壁及び幅木に沿った掃除を改善すると考えられる。先端上の房１５の量は、スペース３１によって制御することができ、スペース３１の幅に反比例する。
【００４４】
掃除用品は、任意選択的に、接着剤、ろう、ニュートン流体オイル及び／又は非ニュートン流体オイル、あるいはそれらの組み合わせによって完全に又は部分的にコーティングされて、清掃を改善し、且つ吸収した塵の保持性を高めてもよい。特に、任意の構成のトウ繊維房１５は、鉱油コーティングでコーティングされてもよい。このコーティングは、油対界面活性剤の比が約９０％〜１０％の、鉱油と界面活性剤との混合物を含んでもよい。界面活性剤は、表面エネルギーを低減することによって、トウ繊維を湿潤させるように油を誘導する利益を提供する。界面活性剤は、非イオン性界面活性剤であり得る。
【００４５】
特に図１Ａから図１Ｆを参照すると、二次結合部３４は連続してもよい。これらの二次結合部３４は、房１５の領域の両方の長手方向縁部２２０を遮ることで、塵の簡便な進入を可能にし得る。６つの均等に離間された二次結合部３４が示されているが、本発明はそのように限定されるものではない。より多くの、又はより少ない同様の又は異なるサイズ及び／又は間隔の二次結合部３４が使用されてもよい。
【００４６】
各スリット３６は、一次結合部３２と二次結合部３４との間で長手方向に概ね等間隔であってよい。一次結合部３２及びスリット３６は、図示のように、横方向に整列され、且つ長手方向に整列されてもよい。このような構成は、横断方向に隣接するスリットと結合部３２、３４との間の格差のある間隔が、異なる房１５のサイズをもたらすという利点を提供する。
【００４７】
とりわけ図１Ａから図１Ｃを参照すると、異なる房１５のサイズは、第１の複数のスリット３６が一次結合部３２と二次結合部３４との間に均等に離間された場合でも発生する。第２の複数のスリット３６が二次結合部３４の間に等間隔に配置される。第２の複数のスリット３６は、図示のように、一次結合部と横方向に整列されてもよい。
【００４８】
とりわけ図１Ｄから図１Ｆを参照すると、二次結合部３４は複数の幅であることで、結合部によって形成されるチャネル内に可変の幅を提供し、それによって塵の保持力を高めることができる。二次結合部３４は、図示されるように、球状、テーパ状、又は一定の幅であってよい。
【００４９】
スリット３６は、一次結合部３２及び二次結合部３４から不均等に横方向に離間されてもよい。このような幾何学的形状により、当業者が、房１５のサイズを所望の最終用途に合わせることを可能になる。
【００５０】
特に図２Ａから図２Ｆを参照すると、掃除用品１０は、横断方向軸ＴＡに平行である、中断された二次結合部３４を有してよい。これらの二次結合部３４はまた、房１５の領域の両方の長手方向縁部２２０を遮ることで、塵の簡便な進入を可能にし得る。
【００５１】
このような幾何学的形状は、二次結合部３４チャネルが、長手方向軸ＬＡ上又はそれに近接して房１５を持たない限り、塵が概ね前後運動の方向で進入することを可能にすることができるという利点を提供する。房１５を含まない長手方向軸ＬＡを有することにより、内側の房１５の移動の更なる自由度が実現し、塵の取り込みの改善が予測される。
【００５２】
更に、長手方向軸ＬＡと一致する、及び／又は長手方向軸ＬＡに近接する内部チャネルには、塵の保持を改善するために粘着性コーティング３９が設けられてもよい。例えば、微結晶ワックス又は接着剤などのワックスが、長手方向軸ＬＡ上又は長手方向軸ＬＡに近接して配置されてもよい。粘着性コーティング３９は、２．５から１０ｇｓｍ、より具体的には３から３．５ｇｓｍの範囲内に配置され得る。
【００５３】
図２Ａから図２Ｃを参照すると、規則的に離間された結合部３２、３４は、図１Ａから図１Ｃに関して上述した利点を提供する。図２Ｄから図２Ｆを参照すると、不規則に離間した結合部３２、３４は、図１Ｄから図１Ｆに関して上述した利点を提供する。１２の均等に離間した二次結合部３４が示されているが、本発明はそのように限定されない。より多くの、又はより少ない同様の又は異なるサイズ及び／又は間隔の二次結合部３４が使用されてもよい。
【００５４】
図３Ａから図３Ｆを参照すると、二次結合部３４は、長手方向軸ＬＡに対して斜めに配向されてよい。本明細書に記載され、特許請求される全てのこのような実施形態に関して、斜めの配向は、往復運動中に、二次結合部３４によって形成されたチャネルに進入する塵が、チャネルに接する房１５を捕らえ、それによって保持され得るという利点を提供する。更に、チャネルは、清掃中に発生する旋回運動及び横方向運動においても塵を捕らえることができる。
【００５５】
更に、本明細書に記載され、特許請求される全ての斜めの二次結合部３４に関して、製造中の結合工程の瞬間的なアンペア数引き込みは、超音波結合又は熱結合において、横断方向に配向された二次結合部３４と比べて低減される。アンペア数の低減は、任意の時点でより小さい結合面積が存在するために生じる。
【００５６】
図３Ａから図３Ｃを参照すると、二次結合部３４は連続しており、長手方向軸ＬＡと３０から７５度の角度を形成してもよい。これらの二次結合部３４は、房１５の領域の両方の長手方向縁部２２０を遮ることで、塵の簡便な進入を可能にし得る。
【００５７】
図３Ｄから図３Ｆを参照すると、斜めに配向された二次結合部３４は、長手方向軸ＬＡに近接して中断されてよい。この場合もやはり、この実施形態は、塵を保持するための長手方向軸上の房１５、及び製造中に必要とされる瞬間的なアンペア数を低減するための斜めの結合部の利点を提供する。二次結合部３４は、他の二次結合部３４から斜めの方向にずらされてよい。このような構成は、二次結合部３４の配置が、意図される清掃作業に合わせてカスタマイズされ得るという利点を提供する。
【００５８】
図３Ａから図３Ｃを参照すると、規則的に離間された結合部３２、３４は、図１Ａから図１Ｃに関して上述した利点を提供する。図３Ｄから図３Ｆを参照すると、不規則に離間された結合部３２、３４は、図１Ｄから図１Ｆに関して上述した利点を提供する。
【００５９】
図４Ａから図４Ｃを参照すると、掃除用品は、横断方向に測定したとき、複数のサイズの一次結合部３２を有してよい。このような構成は、Ｚ方向により大きな厚さを生み出すより大きな横断方向の寸法を有する房１５を含む、同様の複数の房１５のサイズを作り出すために、より大きな適応性を提供する。同様に、長手方向に一次結合部３２と整列された細長いスリット３６は、隣接する一次結合部３２の長さと相補的な長さ又は同一の長さを有してよい。
【００６０】
示されるように、長手方向軸ＬＡ上により大きい房１５を配置することは、長手方向軸に近接するＺ方向の厚さが大きくなることで、通常の使用中に掃除用品の前縁部における塵の除雪に似た作用を低減することができるとい利点を提供することが予測される。
【００６１】
図５Ａから図５Ｃを参照すると、二次結合部３４は、長手方向軸ＬＡを横切るように架橋する連続する山形であってよい。山形は、二次結合部３４の熱結合及び超音波結合のための低減した瞬間的なアンペア数の要件の利点を提供する。山形の対角線の脚部はそれぞれ、二次結合部３４のチャネル内での塵の保持を実現する。山形は、有利には、２つの異なる方向に、斜めに配向されたチャネルを形成する。２つの異なる配向は、清掃運動が様々な方向で生じるとき、異なる方向で汚れを捕らえる利点を提供する。
【００６２】
図６Ａから図６Ｃを参照すると、二次結合部３４は、長手方向に配向された杉綾パターンを形成する、中断された山形パターンを形成してよい。杉綾パターンは、二次結合部３４の熱結合及び超音波結合のための低減した瞬間的なアンペア数の要件の利点を提供する。各杉綾の対角線の脚部は、二次結合部３４のチャネル内での塵の保持を実現する。杉綾パターンは、有利には、２つの異なる方向に斜めに配向されたチャネルを形成する。２つの異なる配向は、清掃運動が様々な方向で生じるとき、異なる方向で汚れを捕らえる利点を提供する。
【００６３】
長手方向軸ＬＡは、内側の房１５の動きを実現するために房１５がなくてもよい。長手方向軸ＬＡに房１５がない場合、このような幾何学的形状は、二次結合部３４を形成するために必要とされるアンペア数を更に低減する。
【００６４】
１２の二次結合部３４が示されているが、本発明はそのように限定されない。より多くの、又はより少ない同様の又は異なるサイズ及び／又は間隔の二次結合部３４が使用されてもよい。
【００６５】
図を７Ａから図７Ｆを参照すると、二次結合部３４は、概ね長手方向に配向された正弦波パターンを形成してよい。正弦波パターンは、二次結合部３４の熱結合及び超音波結合のための低減した瞬間的なアンペア数の要件の利点を提供する。二次結合部３４の端部は、図１Ａから図１Ｆに関連して上述したように、直線運動での清掃中に塵を捕らえるために、概ね横方向に配向されてよい。正弦波二次結合部３５の対角線の中心脚部は、直線運動を通して塵を捕捉し、捕捉された塵を保持することが予測される。
【００６６】
横断方向で取得したときの一次結合部３２及び二次結合部３４の異なる配向は、それらの間に不規則な間隔を提供し、したがって上記で考察したように異なるサイズの房１５を提供する。
【００６７】
図３Ｆ及び図７Ｆを参照すると、掃除用品１０は、房の格子の長手方向縁部２２０の間に連続して延在する二次結合部３４と、中断され、長手方向軸ＬＡを遮らない二次結合部３４の両方を有し得る。このような配置は、房１５の格子の長手方向縁部２２０の間に延在する二次結合部３４によって形成される連続チャネルが、大きな塵を取り込むためのより多くの空間を提供する一方で、中断されたチャネルはより小さい塵を取り込むという利点を提供する。
【００６８】
図１Ｅ２、図２Ｅ２、図３Ｅ２、図５Ｅ２及び図７Ｅ２を参照すると、掃除用品は、ブリッジ繊維１５Ｂを有してよい。ブリッジ繊維１５は、キャリアシートの近位端で接合され、またトウ繊維の長さに沿った別の位置でもキャリアシートに接合される。このような構成は、粗面上の繊維の損失を最小限に抑え、塵を取り込むためにＸＹ平面内のトウ繊維のより多くの表面を提供するという利点を提供する。
【００６９】
図８を参照すると、二次結合部３４は、隣接する二次結合部３４から均等に又は不均等に離間されてよい。二次結合部３４は、同様の幾何学的形状、サイズ、角度配向及び形状であってよく、又は相互に異なる幾何学的形状、サイズ、角度配向及び／又は形状であってもよい。３つの異なるサイズの房１５が示されているが、本発明はそのように限定されない。掃除用品１０は、２つ、３つ、４つ、又はそれ以上の異なるサイズの房１５を有してよい。
【００７０】
掃除用品１０は、所望により、ストリップ１７を有してもよい。ストリップ１７は、１を超える長さ対幅のアスペクト比を有する。所望により、長手方向軸ＬＡに対して概ね平行に配向され、且つ所望により長手方向軸ＬＡと一致する、細長いトウ繊維ロープを使用することができる。
【００７１】
図９Ａを参照すると、掃除用品１０は、特定の作業に応じて、乾式、湿式及び／又は予備湿式掃除で使用するために、掃除器具７０に取り外し可能に取り付け可能であってもよい。掃除器具７０は、掃除用品１０を受容するためのヘッド７４と、それに接合される細長ハンドル７２とを有し得る。典型的な床掃除器具７０は、使用者によって把持されるハンドル７２と、このハンドルに取り付けられた、好ましくは枢動可能にそれに取り付けられたヘッド７４とを有する。ヘッド７４は、床又は他の標的表面に接触して移動する。掃除用品１０は、ヘッド７４の底部に取り外し可能に取り付けられ得る。取り付けシステムは、好適で任意選択的なハンドル７２への掃除用品１０の取り外し可能な取り付けをもたらすことができる。器具７０への掃除用品１０の取り外し可能な取り付けは、接着剤３２、マジックテープ（登録商標）方式、細長いスリーブ、把持部などを使用して達成することができる。把持部及び好適な掃除器具７０は、同一譲受人に譲渡された米国特許第６、４８４、３５６号に開示されている。
【００７２】
図９Ｂを参照すると、掃除用品１０は、任意選択で、洗浄液、又は外観又は消毒剤などの表面を処理するなどの他の目的のために使用可能な他の溶液と共に使用されてもよい。床掃除器具７０は、ユーザが直立している間に床を掃除することを可能にすることができ、また、１つ又は２つ以上のノズル７６を介するリザーバ７５から床への洗浄液又は他の液体の噴霧を実現してよい。好適な噴霧器具７０は、同一譲受人に譲渡された米国特許第５，８８８，００６号、第５，９８８，９２０号、第６，８４２，９３６号、第７，１８２，５３７号、第７，５３６，７４３号、第７，６７６，８７７号及び第８，１８６，８９８号に開示される。洗浄溶液は、掃除用品１０に予め適用されて、予め湿らせた掃除用品１０を作ってもよく、又は掃除用品１０及び／又は標的表面上に適用するために、別個のリザーバ７５の内部に収容されてもよい。洗浄溶液は、大部分が水であり、少なくとも約０．５、２、５又は１０重量％の固体、あるいは少なくとも約３０又は５０重量％の水性溶媒、非水性溶液、又はその混合物を含み得る。任意選択的な真空を有する好適な器具７０は、米国特許第７，１３７，１６９号に開示されている。
【００７３】
図９Ｃを参照すると、器具７０は、固定された関係で使用され、且つ１つ又は２つ以上の歯７３を含むハンドル７２及びヘッド７４を有してよい。歯７３は、掃除用品１０内のスリーブに挿入されてもよい。この構成により、掃除用品１０は、小さな物体を掃除するためのダスターとして便利に使用することが可能になり、スペース３１が締め付けられる。ダスター型掃除用品１０のための好適な器具７０は、本願と同一譲受人に譲渡された米国特許第８，５７８，５６４号及び第Ｄ６７４，９４９  Ｓ号に開示されている。
【００７４】
所望される場合、掃除用品１０は、自律的に移動するロボットは無人機と共に使用され、且つそれに取り外し可能に取り付けられてもよい。本発明の掃除用品と共に使用するためのロボット及びドローンの好適な例は、本願と同一譲受人に譲渡された米国特許第６，９４１，１９９号、第６，８１０，３０５号、第６，７７９，２１７号、第６，４８１，５１５号、第６，４５９，９５５号、及び米国特許シリアル番号第１４／９９２，１９５号（２０１６年１月１１日、Ｐ＆Ｇケース１４１８９）に見出される。湿式掃除及び乾式掃除での使用するためのロボットの例は、米国特許第７，３８９，１５６号、同第８，７７４，９６６号、及び同第８，８５５，８１３号に見出される。データ制御システムは、米国特許第７，４３１，５２４号に記載されているように、掃除用品１０と共に利用されてもよい。
【００７５】
掃除用品１０はまた、ハンドル７２又は器具７０を使用せず、手を使って使用される場合もある。所望される場合、本明細書に記載した様々な掃除用品１０をキットとしてパッケージ化及び販売してもよい。この構成は、使用者が、異なる作業に対して異なる掃除用品１０の選択肢を有するという利益を提供する。例えば、所望される場合、複数サイズの掃除用品１０を、単一のキットとしてまとめて販売することができる。この構成により、使用者は、急な作業に対して最良に適した、特定の掃除用品１０を選択することができる。
【００７６】
本発明による掃除用品１０は、任意の組み合わせで、以下の非限定的な段落のいずれかに従って作製することができる。
【００７７】
Ａ．ＸＹ平面、及びＸＹ平面に対して垂直なＺ方向を画定する縁部によって境界が区切られ、長手方向軸ＬＡが長手方向を画定し、横断方向軸ＴＡが横断方向を画定する掃除用品１０であって、当該掃除用品１０は、
第１の面と、第１の面に対して反対側の第２の面とを有するキャリアシートと、
複数の一次結合部３２によって当該キャリアシートの当該第１の面に接合され、且つＺ方向にそこから外向きに延在してＺ方向にトウの厚さを有する複数の別個のトウ繊維と、
複数のトウ繊維の少なくとも１つに配置され、Ｚ方向に二次結合部の厚さを有する複数の細長い二次結合部であって、当該二次結合部の厚さはＺ方向で当該トウの厚さより小さく、当該二次結合部は、当該トウ繊維の少なくとも一部を架橋する、複数の細長い二次結合部と、
当該キャリアシート及び当該トウ繊維を通る複数の細長いスリット３６であって、当該一次結合部と当該二次結合部との間に配置される細長いスリット３６と、を備える、掃除用品１０。
【００７８】
Ｂ．ＸＹ平面、及びＸＹ平面に対して垂直なＺ方向を画定する、交互になる長手方向縁部２０及び横断方向縁部によって境界が区切られ、長手方向軸ＬＡが長手方向を画定し、横断方向軸ＴＡが横断方向を画定する掃除用品１０であって、当該掃除用品１０は、
第１の面と、第１の面に対して反対側の第２の面とを有するキャリアシートと、
複数の一次結合部３２によって当該キャリアシートの当該第１の面に接合され、且つＺ方向にそこから外向きに延在してＺ方向に房の厚さを有する複数の別個の離間したトウ繊維の房１５と、
Ｚ方向に二次結合部の厚さを有する複数の細長い二次結合部３４であって、当該二次結合部の厚さは当該房の厚さよりも小さく、当該二次結合部は各々、トウ繊維の少なくとも２つの隣接する房１５を架橋する、複数の細長い二次結合部３４と、
当該キャリアシート及び当該トウ繊維を通る複数の細長いスリット３６であって、２つの隣接する結合部の間に不均等に横方向に離間されている複数の細長いスリット３６と、を備える、掃除用品１０。
【００７９】
Ｃ．ＸＹ平面、及びＸＹ平面に対して垂直なＺ方向を画定する、交互になる長手方向縁部２０及び横断方向縁部２２によって境界が区切られ、長手方向軸ＬＡが長手方向を画定し、横断方向軸ＴＡが横断方向を画定する掃除用品１０であって、当該掃除用品１０は、
第１の面と、第１の面に対して反対側の第２の面とを有するキャリアシートと、
複数の一次結合部３２によって当該キャリアシートの当該第１の面に接合され、且つＺ方向にそこから外向きに延在してＺ方向に房の厚さを有する複数の別個の離間したトウ繊維の房１５と、
Ｚ方向に二次結合部の厚さを有する複数の細長い二次結合部３４であって、当該二次結合部の厚さは当該房の厚さより小さく、当該二次結合部の各々は、トウ繊維の少なくとも２つの隣接する房１５を架橋し、当該二次結合部の厚さは当該房の厚さより小さく、当該二次結合の各々は、トウ繊維の少なくとも２つの隣接する房１５を架橋する、複数の細長い二次結合部３４と、
当該キャリアシート及び当該トウ繊維を通る第１の複数の細長いスリット３６であって、横方向に隣接する二次結合部から第１の距離だけ離間される第１の複数の細長いスリット３６と、
当該キャリアシート及び当該トウ繊維を通る第２の複数の細長いスリット３６であって、横方向に隣接する二次結合部から第２の距離だけ離間されており、当該第２の距離は、当該第１の距離より大きい第２の複数の細長いスリット３６と、を備える、掃除用品１０。
【００８０】
Ｄ．当該複数のトウ繊維は、当該横断方向に配向されたトウ繊維の複数ラインを有する、段落Ａに記載の掃除用品１０。
【００８１】
Ｅ．複数の当該スリット３６は、それぞれの当該隣接する一次結合部とそれぞれの当該隣接する二次結合部との間に不均等に横方向に離間されている、段落Ａ、Ｂ及びＣに記載の掃除用品１０。
【００８２】
Ｆ．当該一次結合部３２は細長く、当該細長い一次結合部３２、当該細長い二次結合部３４及び当該細長いスリット３６は実質的に平行である、段落Ａ、Ｂ、Ｃ及びＥに記載の掃除用品１０。
【００８３】
Ｇ．当該一次結合部３２は細長く、当該細長い一次結合部３２、当該細長い二次結合部３４及び当該細長いスリット３６は実質的に平行であり、二次結合部３４の間に横方向に配置された複数のスリット３６を更に備える、段落Ａ、Ｂ、Ｃ、Ｅ及びＦに記載の掃除用品１０。
【００８４】
Ｈ．当該一次結合部３２は細長く、当該細長い一次結合部３２、当該細長い二次結合部３４及び当該細長いスリット３６は実質的に平行であり、当該キャリアシートに接合され、自由端を持たないブリッジ繊維を更に備える、段落Ａ、Ｂ、Ｃ、Ｅ、Ｆ及びＧに記載の掃除用品１０。
【００８５】
Ｉ．当該一次結合部３２は細長く、当該細長い一次結合部３２、当該細長い二次結合部３４及び当該細長いスリット３６は実質的に平行であり、当該二次結合部３４は、概ね直線を成しており、当該長手方向軸ＬＡに対して斜めに配向されている、段落Ａ、Ｂ、Ｃ、Ｅ、Ｆ、Ｇ及びＨに記載の掃除用品１０。
【００８６】
Ｊ．当該房１５の間の当該キャリア上にチャネルを更に備え、当該チャネルは当該房１５を含まず、当該チャネルは当該長手方向軸ＬＡと並置されている、段落Ａ、Ｂ、Ｃ、Ｅ、Ｆ、Ｇ、Ｈ及びＩに記載の掃除用品１０。
【００８７】
Ｋ．当該房１５の間の当該キャリア上にチャネルを更に備え、当該チャネルは当該房１５を含まず、当該チャネルは、当該長手方向軸ＬＡと並置されており、当該チャネルは、その上に粘着性コーティング３９を有する、段落Ａ、Ｂ、Ｃ、Ｅ、Ｆ、Ｇ、Ｈ、Ｉ及びＪに記載の掃除用品１０。
【００８８】
Ｌ．当該房１５の間の当該キャリア上にチャネルを更に備え、当該チャネルは当該房１５を含まず、当該チャネルは、当該長手方向軸ＬＡと並置されており、当該チャネルは、当該長手方向軸ＬＡと並置されており、当該一次結合部３２、当該二次結合部３４及び当該スリット３６の少なくとも一部が当該チャネルを遮る、段落Ａ、Ｂ、Ｃ、Ｅ、Ｆ、Ｇ、Ｈ、Ｉ、Ｊ及びＫに記載の掃除用品１０。
【００８９】
Ｍ．当該横断方向に第１の長さを有する第１の複数の細長い一次結合部３２と、当該長手方向軸ＬＡと並置され、当該横断方向に第２の長さを有する第２の複数の細長い一次結合部３２とを有し、当該第２の長さは当該第１の長さより大きい、段落Ａ、Ｂ、Ｃ、Ｅ、Ｆ、Ｇ、Ｈ、Ｉ、Ｊ、Ｋ及びＬに記載の掃除用品１０。
【００９０】
Ｎ．第１の二次結合部の幅を有する第１の複数の二次結合部３４と、第２の二次結合部の幅を有する第２の複数の二次結合部３４とを有し、当該第２の二次結合部の幅は当該第１の二次結合部の幅より大きい、段落Ａ、Ｂ、Ｃ、Ｅ、Ｆ、Ｇ、Ｈ、Ｉ、Ｊ、Ｋ、Ｌ及びＭに記載の掃除用品１０。
【００９１】
Ｏ．第１の二次結合部の幅を有する第１の複数の二次結合部３４と、第２の二次結合部の幅を有する第２の複数の二次結合部３４とを有し、当該第２の二次結合部の幅は、当該第１の二次結合部の幅より大きく、当該第１の複数の当該結合部及び当該第２の複数の当該結合部は、概ね横方向に配向され、当該長手方向に交互に配置されている、段落Ａ、Ｂ、Ｃ、Ｅ、Ｆ、Ｇ、Ｈ、Ｉ、Ｊ、Ｋ、Ｌ、Ｍ及びＮに記載の掃除用品１０。
【００９２】
Ｐ．第２の複数のスリット３６を更に備え、当該第２の複数のスリット３６は、同様の複数の二次結合部３４と一致して、その上に配置されている、段落Ａ、Ｂ、Ｃ、Ｅ、Ｆ、Ｇ、Ｈ、Ｉ、Ｊ、Ｋ、Ｌ、Ｍ、Ｎ及びＯに記載の掃除用品１０。
【００９３】
Ｑ．当該房１５は、交互になる長手方向縁部２２０及び横断方向縁部２２２を有する矩形の格子内に配置され、当該掃除用品１０は、当該格子の当該長手方向縁部２２０の間に実質的に連続して延在する第１の複数の二次結合３４部と、当該格子の当該長手方向縁部２２０の各々から延在し、当該長手方向軸ＬＡを遮らない第２の複数の当該二次結合部３４とを備える、段落Ａ、Ｂ、Ｃ、Ｅ、Ｆ、Ｇ、Ｈ及びＩに記載の掃除用品１０。
【００９４】
Ｒ．当該房１５は、交互になる長手方向縁部及び横断方向縁部２２２を有する矩形の格子内に配置され、当該掃除用品１０は、当該格子の当該長手方向縁部２２０の間に実質的に連続して斜めに延在する第１の複数の二次結合部３４と、当該格子の当該長手方向縁部２２０の各々から斜めに延在し、当該長手方向軸ＬＡを遮らない第２の複数の当該二次結合部３４と、を備え、当該第１の複数の当該二次結合部３４の当該二次結合部３４と、当該第２の複数の当該二次結合部３４の当該二次結合部３４は、互いに交互に配置されている、段落Ａ、Ｂ、Ｃ、Ｅ、Ｆ、Ｇ、Ｈ、Ｉ、Ｊ、Ｋ、Ｌ、Ｍ、Ｎ、Ｏ、Ｐ及びＱに記載の掃除用品１０。
【００９５】
Ｓ．当該房１５は、交互になる長手方向縁部２２０及び横断方向縁部２２２を有する矩形の格子内に配置され、当該二次結合部３４は、当該格子の少なくとも１つの当該長手方向縁部２２０を遮り、当該長手方向軸ＬＡに対して概ね垂直に延在する、段落Ａ、Ｂ、Ｃ、Ｅ、Ｆ、Ｇ、Ｈ、Ｉ、Ｊ、Ｋ、Ｌ、Ｍ、Ｎ、Ｏ、Ｐ及びＱに記載の掃除用品１０。
【００９６】
Ｔ．掃除器具７０に取り外し可能に接合された、任意の先行する段落に記載の掃除用品１０。
【００９７】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は「約４０ｍｍ」を意味することが意図されており、「約１１００ｋＰａ」と開示された圧力は、１１０３．２ｋＰａを含むことが意図されている。
【００９８】
相互参照される文書又は関連特許若しくは出願を含めた、本明細書に引用される全ての文書は、明示的に除外されるか又は特に限定されない限り、参照することによりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、このような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。範囲を規定するものとして本明細書で示した全ての限定を、範囲を規定する任意の他の限定と共に用いてもよい。すなわち、ある範囲の上限を別の範囲の下限と共に用いてもよく、逆もまた同様である。
【００９９】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１Ａ】
2021515612.tif 000003
【図１Ｂ１】
2021515612.tif 000004
【図１Ｂ２】
2021515612.tif 000005
【図１Ｃ】
2021515612.tif 000006
【図１Ｄ】
2021515612.tif 000007
【図１Ｅ１】
2021515612.tif 000008
【図１Ｅ２】
2021515612.tif 000009
【図１Ｆ】
2021515612.tif 000010
【図２Ａ】
2021515612.tif 000011
【図２Ｂ１】
2021515612.tif 000012
【図２Ｂ２】
2021515612.tif 000013
【図２Ｃ】
2021515612.tif 000014
【図２Ｄ】
2021515612.tif 000015
【図２Ｅ１】
2021515612.tif 000016
【図２Ｅ２】
2021515612.tif 000017
【図２Ｆ】
2021515612.tif 000018
【図３Ａ】
2021515612.tif 000019
【図３Ｂ１】
2021515612.tif 000020
【図３Ｂ２】
2021515612.tif 000021
【図３Ｃ】
2021515612.tif 000022
【図３Ｄ】
2021515612.tif 000023
【図３Ｅ１】
2021515612.tif 000024
【図３Ｅ２】
2021515612.tif 000025
【図３Ｆ】
2021515612.tif 000026
【図４Ａ】
2021515612.tif 000027
【図４Ｂ１】
2021515612.tif 000028
【図４Ｂ２】
2021515612.tif 000029
【図４Ｃ】
2021515612.tif 000030
【図５Ａ】
2021515612.tif 000031
【図５Ｂ１】
2021515612.tif 000032
【図５Ｂ２】
2021515612.tif 000033
【図５Ｃ】
2021515612.tif 000034
【図５Ｄ】
2021515612.tif 000035
【図５Ｅ１】
2021515612.tif 000036
【図５Ｅ２】
2021515612.tif 000037
【図５Ｆ】
2021515612.tif 000038
【図６Ａ】
2021515612.tif 000039
【図６Ｂ１】
2021515612.tif 000040
【図６Ｂ２】
2021515612.tif 000041
【図６Ｃ】
2021515612.tif 000042
【図７Ａ】
2021515612.tif 000043
【図７Ｂ１】
2021515612.tif 000044
【図７Ｂ２】
2021515612.tif 000045
【図７Ｃ】
2021515612.tif 000046
【図７Ｄ】
2021515612.tif 000047
【図７Ｅ１】
2021515612.tif 000048
【図７Ｅ２】
2021515612.tif 000049
【図７Ｆ】
2021515612.tif 000050
【図８】
2021515612.tif 000051
【図９Ａ】
2021515612.tif 000052
【図９Ｂ】
2021515612.tif 000053
【図９Ｃ】
2021515612.tif 000054
【国際調査報告】
2021515612.tif 000055
2021515612.tif 000056
2021515612.tif 000057
2021515612.tif 000058
2021515612.tif 000059
2021515612.tif 000060